(57)【特許請求の範囲】
【請求項１】
多数の炎孔を有する燃焼プレートを備え、ガスストーブに燃焼プレートが前方を向くように起立した姿勢で設置されるガスストーブ用のプレート式バーナであって、燃焼プレートの前面に菱形形状の凸部と凸部を囲う凹部とが多数形成され、各凸部と各凹部とに複数の炎孔が開設されているものにおいて、
燃焼プレートの前面の炎孔形成領域の左右各側の側部に、上下方向に真直にのびる凹溝が形成され、凹溝に隣接する各凸部は、凹溝により菱形の一部が削り取られた形状に形成され、
凹溝に、凹溝により削り取られた各凸部の部分の上下方向中間とその上下とに位置するように複数の炎孔が開設されていることを特徴とするガスストーブ用プレート式バーナ。
【請求項２】
前記凹溝の深さは前記凹部の深さより浅いことを特徴とする請求項１記載のガスストーブ用プレート式バーナ。
【発明の詳細な説明】
【技術分野】
【０００１】
本発明は、多数の炎孔を有する燃焼プレートを備え、ガスストーブに燃焼プレートが前方を向くように起立した姿勢で設置されるガスストーブ用のプレート式バーナに関する。
【背景技術】
【０００２】
従来、この種のプレート式バーナでは、燃焼プレートの前面に菱形形状の凸部と凸部を囲う凹部とを多数形成し、各凸部と各凹部とに複数の炎孔を開設している。これによれば、各凸部がこれに開設する炎孔の火炎により加熱されるだけでなく、その周囲の凹部に開設する炎孔の火炎によっても加熱されて、効率良く赤熱し、燃焼プレートからの赤外線の輻射効率が向上する。
【０００３】
ところで、起立姿勢で設置するガスストーブ用のプレート式バーナにおいては、燃焼プレートの前面の下側部や左右各側の側部の炎孔での燃焼状態が、周囲への放熱や周りの空気で冷却される等して、不安定になり、ＣＯが発生し易くなる。尚、燃焼プレートの前面下側部でＣＯが発生しても、このＣＯは燃焼プレートの前面に沿って上昇する過程で加熱酸化されてＣＯ２に変換されるが、燃焼プレートの前面の左右各側の側部で発生したＣＯはそのまま室内に排出されてしまい、問題になる。
【０００４】
ここで、グリルの天井部に燃焼プレートが下方を向くように設置するグリル用のプレート式バーナにおいて、特許文献１により、燃焼プレートの下面の炎孔形成領域のグリル幅方向両側の側部に、燃焼プレートの下面に形成する菱形形状の凸部を囲う凹部より深い第２の凹部を形成し、この凹部に炎孔を開設したものが知られている。このものでは、第２の凹部に隣接する凸部が第２の凹部の炎孔の火炎により深部から加熱保温され、側部近傍からのＣＯの発生が防止されるとしている。尚、特許文献１に記載のものでは、第２の凹部の横方向内側の辺を隣接する凸部の菱形の輪郭に沿うジグザグ形状に形成している。
【０００５】
上記ガスストーブ用プレート式バーナにおける燃焼プレートの前面の左右各側の側部近傍からのＣＯの発生を防止するため、特許文献１記載の技術を適用し、燃焼プレートの前面の左右各側の側部に、菱形形状の凸部を囲う凹部より深い第２の凹部を隣接する凸部の輪郭に沿うようにジグザグ形状に形成し、第２の凹部に炎孔を開設することが考えられる。
【０００６】
然し、燃焼プレートの前面の左右各側の側部に、このような深い第２の凹部を形成すると、燃焼プレートの強度が低下してしまう。
【特許文献１】特開平８−１３５９３０号公報
【発明の開示】
【発明が解決しようとする課題】
【０００７】
本発明は、以上の点に鑑み、燃焼プレートの強度をできるだけ低下させずに、燃焼プレートの前面の左右各側の側部近傍からのＣＯの発生を抑制できるようにしたガスストーブ用プレート式バーナを提供することをその課題としている。
【課題を解決するための手段】
【０００８】
上記課題を解決するために、本発明は、多数の炎孔を有する燃焼プレートを備え、ガスストーブに燃焼プレートが前方を向くように起立した姿勢で設置されるガスストーブ用のプレート式バーナであって、燃焼プレートの前面に菱形形状の凸部と凸部を囲う凹部とが多数形成され、各凸部と各凹部とに複数の炎孔が開設されているものにおいて、燃焼プレートの前面の炎孔形成領域の左右各側の側部に上下方向に真直にのびる凹溝が形成され、凹溝に隣接する各凸部は、凹溝により菱形の一部が削り取られた形状に形成され、凹溝に、凹溝により削り取られた各凸部の部分の上下方向中間とその上下とに位置するように複数の炎孔が開設されていることを特徴とする。
【０００９】
本発明によれば、凹溝に隣接する各凸部の凹溝に合致する部分が削り取られるため、これら凸部の熱容量が減少する。更に、凹溝に開設する炎孔は、凹溝により削り取られた各凸部の部分の上下方向中間とその上下とに位置するため、凹溝に隣接する各凸部は、その熱容量の減少と相俟って、これら炎孔の火炎により効率良く加熱される。従って、燃焼プレートの強度ができるだけ低下しないように、凹溝の深さを凹部の深さより浅くしても、凹溝に隣接する各凸部を高温に加熱して、燃焼プレートの前面の左右各側の側部近傍からのＣＯの発生を抑制できる。
【発明を実施するための最良の形態】
【００１０】
図１を参照して、１はガスストーブを示している。ガスストーブ１は、前方及び上方に開口する反射ケース２を備えており、反射ケース２の後側に、反射ケース２の後板部に開設した窓部２ａに臨ませて、プレート式バーナ３が設置されている。尚、反射ケース２はガード網２ｂにより上方から前方に亘って覆われている。
【００１１】
プレート式バーナ３は、箱形のバーナ本体４の開口面に装着したセラミック製の燃焼プレート５を備えている。そして、該バーナ３を燃焼プレート５が前方を向くように起立した姿勢で設置している。尚、本実施形態では、プレート式バーナ３を上下一対に配置している。
【００１２】
図２、図３を参照して、燃焼プレート５には、バーナ本体４内に供給される燃料ガスと一次空気との混合気を噴出する多数の炎孔５１が形成されている。また、燃焼プレート５の前面には、横長の菱形形状の凸部５２と凸部５２を囲う凹部５３とが多数形成され、各凸部５２に４個の炎孔５１が開設される共に、各凹部に等ピッチで複数の炎孔５１が開設されている。そのため、各凸部５２がこれに開設する炎孔５１の火炎により加熱されるだけでなく、その周囲の凹部５３に開設する炎孔５１の火炎によっても加熱されて、効率良く赤熱し、燃焼プレート５からの赤外線の輻射効率が向上する。
【００１３】
ところで、燃焼プレート５の前面の下側部や左右各側の側部の炎孔５１での燃焼状態は、周囲への放熱や周りの空気で冷却される等して、不安定になり勝ちであり、燃焼プレート５の前面の下側部や左右各側の側部でＣＯが発生し易くなる。ここで、燃焼プレート５の前面下側部でＣＯが発生しても、このＣＯは燃焼プレート５の前面に沿って上昇する過程で加熱酸化されてＣＯ２に変換されるが、燃焼プレート５の前面の左右各側の側部で発生したＣＯはそのまま室内に排出されてしまう。
【００１４】
そこで、本実施形態では、図３（ａ）（ｂ）に明示する如く、燃焼プレート５の前面の炎孔形成領域の左右各側の側部に、上下方向に真直にのびる凹溝５４を形成している。凹溝５４は、その深さＤ２が凹部５３の深さＤ１より浅くなるように形成されている。また、凹溝５４に隣接する各凸部５２は、凹溝５４により菱形の一部が削り取られた形状に形成されている。そして、凹溝５４に、凹溝５４により削り取られた各凸部５２の部分の上下方向中間とその上下とに位置するように、炎孔５１が上下方向に等ピッチで複数開設されている。
【００１５】
尚、本実施形態では、図２に示す如く、燃焼プレート５の前面の炎孔形成領域の下側部と上側部にも凹溝５４ａ，５４ｂを形成しているが、これら凹溝５４ａ，５４ｂは省略しても良い。
【００１６】
上記の構成によれば、凹溝５４に隣接する各凸部５２の凹溝５４に合致する部分が削り取られるため、これら凸部５４の熱容量が減少する。更に、凹溝５４に開設する炎孔５１は、凹溝５４により削り取られた各凸部５１の部分の上下方向中間とその上下とに位置するため、凹溝５４に隣接する各凸部５１は、その熱容量の減少と相俟って、これら炎孔５１の火炎により効率良く加熱される。従って、凹溝５４の深さＤ２を凹部５３の深さＤ１より浅くしても、凹溝５４に隣接する各凸部５２を高温に加熱して、燃焼プレート５の前面の左右各側の側部近傍からのＣＯの発生を抑制できる。
【００１７】
以上の効果を確かめるため、凹部５３の深さＤ１が１．９ｍｍ、凹溝５４の深さＤ２が１．２ｍｍの上記実施形態の燃焼プレート５と、凹溝５４の無い燃焼プレートとを用い、全燃焼ガス中のＣＯ濃度の理論値を測定する試験を行った。ＣＯ濃度の理論値は、凹溝５４の無い燃焼プレート５では０．０１８％であったのに対し、実施形態の燃焼プレート５では０．０１４％に低下した。尚、理論値は、次式、
ＣＯ＝ＣＯａ×Ｏ２ｔ÷（Ｏ２ｔ−Ｏ２ａ）
により算出される。ここで、ＣＯは過剰酸素のない理論燃焼状態における乾燥燃焼ガス中のＣＯ濃度（理論値）、ＣＯａは乾燥燃焼ガス中のＣＯ濃度測定値、Ｏ２ｔは給気口雰囲気中（乾燥状態）の酸素濃度測定値、Ｏ２ａは乾燥燃焼ガス中の酸素濃度測定値である。
【００１８】
このように、凹溝５４の深さＤ２を凹部５３の深さＤ１より浅くしても、燃焼プレート５の前面の左右各側の側部近傍からのＣＯの発生を抑制できるため、燃焼プレート５の強度低下を可及的に回避できる。
【図面の簡単な説明】
【００１９】
【図１】本発明の実施形態のプレート式バーナを具備するガスストーブの断面図。
【図２】実施形態のプレート式バーナの燃焼プレートを示す正面図。
【図３】（ａ）図２の丸Ｘの部分の拡大図、（ｂ）図３（ａ）のＹ−Ｙ線で切断した断面図。
【符号の説明】
【００２０】
１…ガスストーブ、３…プレート式バーナ、５…燃焼プレート、５１…炎孔、５２…凸部、５３…凹部、５４…凹溝。
【図１】
0004818305.tif 000002
【図２】
0004818305.tif 000003
【図３】
0004818305.tif 000004